(57)【要約】【課題】本発明は、放射パネル内の流路にオイルミストや異物等が流入することを抑制可能な空気式放射空調システムを提供することを目的とする。【解決手段】床材４の下面に配置され、部屋の床材を放射空調するための冷風または温風が流れる流路を有する放射パネル６８Ａ〜６８Ｐと、一端が室内機と接続され、他端が放射パネル６８Ａ，６８Ｅ，６８Ｉ，６８Ｍと接続されるとともに、天井から床材４に向かう方向に延びて配置され、送風ファンにより送風された冷風または温風を流路に導く空気案内用ダクト１４と、空気案内用ダクト１４内に配置された第１のフィルタ１５と、を有する。【選択図】図２
2020012575.tif 000002
【特許請求の範囲】
【請求項１】
部屋の天井の上に設けられるとともに、前記天井の下面側から吸い込んだ該部屋内の空気と冷媒とを熱交換させる室内熱交換器、及び前記室内熱交換器と熱交換した前記空気を送風する送風ファンを有する室内機と、
前記部屋の外に設けられるとともに、該部屋の外の空気を取り込むファン、及び該ファンに取り込まれた空気と前記冷媒とを熱交換させる室外熱交換器を含む室外機と、
前記冷媒が循環するとともに、前記室内熱交換器、及び前記室外熱交換器と接続された冷媒循環ラインと、該室内熱交換器と、該室外熱交換器と、を有する冷凍サイクルと、
前記部屋の床材の下面に配置され、前記部屋の床材を放射空調するための冷風または温風が流れる流路を有する放射パネルと、
一端が前記室内機と接続され、他端が前記放射パネルと接続されるとともに、前記天井から前記床材に向かう方向に延びて配置され、前記送風ファンにより送風された前記冷風または前記温風を前記流路に導く空気案内用ダクトと、
前記空気案内用ダクト内に配置された第１のフィルタと、
前記床材に形成され、前記放射パネルの前記流路を通過した前記冷風または前記温風を前記部屋内に吹き出させる吹き出し口と、
を備える空気式放射空調システム。
【請求項２】
前記空気案内用ダクトは、前記送風ファンにより送風された前記冷風または前記温風を前記流路に導くとともに、前記第１のフィルタが収容される部分に開口部が形成されたダクト本体と、
前記ダクト本体に装着された状態で前記開口部を塞ぎ、前記ダクト本体に対して着脱可能な蓋部と、
を有する請求項１記載の空気式放射空調システム。
【請求項３】
前記ダクト本体は、前記天井の下面よりも上方に配置され、前記室内機と接続された上端部と、前記床材の上面よりも下方に配置された下端部と、前記部屋内に配置され、前記上端部と前記下端部とを接続する中間部と、を有し、
前記第１のフィルタは、前記中間部の内側に配置されている請求項２記載の空気式放射空調システム。
【請求項４】
前記室内機は、前記室内熱交換器の前段に配置され、前記部屋内の空気が通過する第２のフィルタを有しており、
前記第１のフィルタのメッシュサイズは、前記第２のフィルタのメッシュサイズと等しい請求項３記載の空気式放射空調システム。
【請求項５】
前記吹き出し口に配置された第３のフィルタを備え、
前記第１のフィルタのメッシュサイズは、前記第３のフィルタのメッシュサイズよりも小さい請求項４記載の空気式放射空調システム。
【請求項６】
前記放射パネルは、放射空調する際に前記冷風または前記温風が流れる放射空調用流路と、該放射空調用流路をバイパスさせる際に前記冷風または前記温風が流れるバイパス用流路と、前記放射空調用流路に前記冷風または前記温風を流すか否かの切り替えを行う流路切替部と、を有する請求項１から５のうち、いずれか一項記載の空気式放射空調システム。
【発明の詳細な説明】
【技術分野】
【０００１】
本発明は、空気式放射空調システムに関する。
【背景技術】
【０００２】
空気式放射空調システムとして、空調による冷風及び温風を使用して床冷暖房を行うとともに、床冷暖房に使用した空気（冷風または温風）を床吹出口から室内に吹き出すことで、室内の冷暖房を行うものがある（例えば、特許文献１参照）。
【０００３】
特許文献１には、部屋のスラブ上に複数の間隔保持体により支持されるとともに、スラブとの間に通気空間を形成するパネルボード（床材）と、冷風または温風を生成する空気調和機と、鉛直方向に延び、空気調和機（室内機）により生成された冷風または温風を通気空間に供給する送気ダクトと、部屋の端部に設置され、通気空間を通気した冷風または温風を室内に吹き出すグリルと、を備えた空気方式床冷暖房装置が開示されている。
【０００４】
ところで、特許文献１に開示された通気空間は、非常に広い空間（体積が大きい空間）であるため、送気ダクトから供給された冷風または温風により、パネルボード（床材）を効率良く放射空調することが困難であった。
このような問題を解決する観点から、パネルボード（床材）の下面に、送気ダクトから供給された冷風または温風が流れる流路を有した放射パネルを設けることが行われている。
【先行技術文献】
【特許文献】
【０００５】
【特許文献１】特開２００４−２３２９８９号公報
【発明の概要】
【発明が解決しようとする課題】
【０００６】
ところで、室内機は、異物等を含んだ部屋の空気を吸い込んで、異物等を含んだ冷風または温風を生成する場合がある。また、室内機内において、異物等が発生する可能性がある。
また、例えば、部屋で料理をする場合、室内機により、オイルミストを含んだ冷風または温風を生成する可能性がある。
つまり、送気ダクトを介して、室内機から放射パネルに供給される冷風または温風には、オイルミストや異物等が含まれている可能性があった。
【０００７】
このようなオイルミストや異物等を含んだ冷風または温風が放射パネル内の流路に流入すると、放射パネルの放射特性が低下する可能性があった。
具体的には、放射パネル内の流路にオイルミストが付着すると、放射パネルの伝熱性能が低下する可能性があった。また、放射パネル内の流路に異物が流入すると、流路が目詰まりを起こす可能性があった。
【０００８】
そこで、本発明は、放射パネル内の流路にオイルミストや異物等が流入することを抑制可能な空気式放射空調システムを提供することを目的とする。
【課題を解決するための手段】
【０００９】
上記課題を解決するため、本発明の一態様に係る空気式放射空調システムは、部屋の天井の上に設けられるとともに、前記天井の下面側から吸い込んだ該部屋内の空気と冷媒とを熱交換させる室内熱交換器、及び前記室内熱交換器と熱交換した前記空気を送風する送風ファンを有する室内機と、前記部屋の外に設けられるとともに、該部屋の外の空気を取り込むファン、及び該ファンに取り込まれた空気と前記冷媒とを熱交換させる室外熱交換器を含む室外機と、前記冷媒が循環するとともに、前記室内熱交換器、及び前記室外熱交換器と接続された冷媒循環ラインと、該室内熱交換器と、該室外熱交換器と、を有する冷凍サイクルと、前記部屋の床材の下面に配置され、前記部屋の床材を放射空調するための冷風または温風が流れる流路を有する放射パネルと、一端が前記室内機と接続され、他端が前記放射パネルと接続されるとともに、前記天井から前記床材に向かう方向に延びて配置され、前記送風ファンにより送風された前記冷風または前記温風を前記流路に導く空気案内用ダクトと、前記空気案内用ダクト内に配置された第１のフィルタと、前記床材に形成され、前記放射パネルの前記流路を通過した前記冷風または前記温風を前記部屋内に吹き出させる吹き出し口と、を備える。
【００１０】
本発明によれば、室内機の後段で、かつ放射パネルの前段に位置する空気案内用ダクト内に配置された第１のフィルタを備えることで、第１のフィルタにより冷風または温風に含まれるオイルミスト及び異物（部屋及び室内機で発生した異物）等を捕捉することが可能となる。
これにより、第１のフィルタの下流側に配置された放射パネルの流路内に、オイルミスト及び異物が流入することを抑制できる。
したがって、放射パネルの特性が低下したり、異物により放射パネルの流路が目詰まりしたりすることを抑制できる。
【００１１】
また、上記本発明の一態様に係る空気式放射空調システムにおいて、前記空気案内用ダクトは、前記送風ファンにより送風された前記冷風または前記温風を前記流路に導くとともに、前記第１のフィルタが収容される部分に開口部が形成されたダクト本体と、前記ダクト本体に装着された状態で前記開口部を塞ぎ、前記ダクト本体に対して着脱可能な蓋部と、を有してもよい。
【００１２】
このように、送風ファンにより送風された冷風または温風を放射パネルの流路に導くとともに、第１のフィルタが収容される部分に開口部が形成されたダクト本体と、ダクト本体に装着された状態で開口部を塞ぎ、ダクト本体に対して着脱可能な蓋部と、を有することで、第１のフィルタの交換を容易に行うことができる。
【００１３】
また、上記本発明の一態様に係る空気式放射空調システムにおいて、前記ダクト本体は、前記天井の下面よりも上方に配置され、前記室内機と接続された上端部と、前記床材の上面よりも下方に配置された下端部と、前記部屋内に配置され、前記上端部と前記下端部とを接続する中間部と、を有し、前記第１のフィルタは、前記中間部の内側に配置されていてもよい。
【００１４】
このように、部屋内に配置された中間部の内側に、第１のフィルタを配置させることで、部屋の中から容易に第１のフィルタを交換することができる。
【００１５】
また、上記本発明の一態様に係る空気式放射空調システムにおいて、前記室内機は、前記室内熱交換器の前段に配置され、前記部屋内の空気が通過する第２のフィルタを有しており、前記第１のフィルタのメッシュサイズは、前記第２のフィルタのメッシュサイズと等しくてもよい。
【００１６】
このように、第１のフィルタのメッシュサイズを第２のフィルタのメッシュサイズと等しくすることで、冷風または温風の流通性能を低下させることなく、第２のフィルタを通過したオイルミスト及び異物等の残部や室内機で発生した異物等を捕捉することができる。
【００１７】
また、上記本発明の一態様に係る空気式放射空調システムにおいて、前記吹き出し口に配置された第３のフィルタを備え、前記第１のフィルタのメッシュサイズは、前記第３のフィルタのメッシュサイズよりも小さくてもよい。
【００１８】
一般的に、第３のフィルタは、物の落下を抑制するためのフィルタであるため、メッシュサイズが大きい。そこで、第３のフィルタのメッシュサイズよりも第１のフィルタのメッシュサイズを小さくすることで、第１のフィルタにより、冷風または温風に含まれるオイルミスト及び異物等を捕捉することができる。
【００１９】
また、上記本発明の一態様に係る空気式放射空調システムにおいて、前記放射パネルは、放射空調する際に前記冷風または前記温風が流れる放射空調用流路と、該放射空調用流路をバイパスさせる際に前記冷風または前記温風が流れるバイパス用流路と、前記放射空調用流路に前記冷風または前記温風を流すか否かの切り替えを行う流路切替部と、を有してもよい。
【００２０】
このような構成とされた放射パネルを用いる場合、冷風または温風に含まれるオイルミスト及び異物等が流路切替部に付着すると、流路切替部が正常に動作しなくなる可能性がある。しかし、流路切替部の前段に第１のフィルタを有することで、流路切替部の前段において、冷風または温風に含まれるオイルミスト及び異物等を捕捉することが可能となる。これにより、オイルミスト及び異物等が流路切替部に付着することを抑制可能となるので、流路切替部を安定して動作させることができる。
【発明の効果】
【００２１】
本発明によれば、放射パネル内の流路にオイルミストや異物等が流入することを抑制できる。
【図面の簡単な説明】
【００２２】
【図１】本発明の実施形態に係る空気式放射空調システムの概略構成を模式的に示す断面図である。
【図２】図１に示す構造体のＡ１−Ａ２方向の断面図である。
【図３】空気案内用ダクト及び制御装置、並びに吹き出し口と複数の放射パネルとの接続関係を説明するための模式的な図である。
【図４】図１に示す構造体のうち、領域Ｂで囲まれた部分を拡大した断面図である。
【図５】図４に示す中間部から蓋部を取り外した状態を模式的に示す断面図である。
【図６】図１に示す構造体のうち、領域Ｂで囲まれた部分をＣ視した図である。
【図７】図３に示す複数の放射パネルのうちの１つの放射パネルの内部構造を示す断面図である。
【図８】図１に示す制御装置の機能ブロック図である。
【図９】一部の床材のみを本実施形態の空気式放射空調システムを用いて放射空調する方法を説明するためのフローチャートである。
【発明を実施するための形態】
【００２３】
（実施形態）
図１〜図３を参照して、本実施形態に係る空気式放射空調システム１０について説明する。図１に示すＢは、空気案内用ダクト１４のうち、第１のフィルタ１５が配置された領域Ｂを示している。図１及び図２に示すＭは、人（以下、「人Ｍ」という）を示している。図１及び図３に示す矢印は、冷風または温風の移動方向を示している。
図１〜図３に示すＸ方向は、空気案内用ダクト１４側から吹き出し口１６Ａ〜１６Ｄ側に向かう方向（壁２，３、床材４、及び天井６で区画された部屋７の長さ方向）を示している。図２及び図３に示すＹ方向は、Ｘ方向に対して直交する方向（部屋７の幅方向）を示している。図１に示すＺ方向は、Ｘ方向及びＹ方向に対して直交する部屋７の高さ方向を示している。図１〜図３において、同一構成部分には同一符号を付す。
なお、本実施形態では、一例として、部屋７で料理をする場合（オイルを使用する場合）を例に挙げて以下の説明を行う。
【００２４】
空気式放射空調システム１０は、室内機１１と、室外機１２と、冷凍サイクル１３と、空気案内用ダクト１４と、第１のフィルタ１５と、吹き出し口１６Ａ〜１６Ｄと、第３のフィルタ１７と、放射パネル群１８Ａ〜１８Ｄと、複数の支持部材１９と、第１の配管２１Ａ〜２１Ｄと、第２の配管２２Ａ〜２２Ｄと、人感センサ２６と、制御装置２８と、を有する。
【００２５】
室内機１１は、筐体３５と、第２のフィルタ３７と、室内熱交換器３８と、送風ファン４２と、を有する。
【００２６】
筐体３５は、部屋７の天井６の上面６ａに配置されている。筐体３５は、下方に突出するとともに吸い込み口３５Ｂが形成された突出部３５Ａを有する。
突出部３５Ａは、天井６に形成された開口部６Ａに挿入されている。吸い込み口３５Ｂは、部屋７内の空間と連通している。吸い込み口３５Ｂは、部屋７内の空気（対流空調に使用した空気（冷風または温風）も含む）を筐体３５内に導く。
【００２７】
筐体３５のうち、壁２と対向する部分には、導出口３５Ｃが形成されている。導出口３５Ｃは、空気案内用ダクト１４の上端部（具体的には、ダクト本体５１の上端部５１Ａ）と接続されている。
室内機１１の導出口３５Ｃから導出された冷風または温風は、空気案内用ダクト１４内に導出される。
【００２８】
第２のフィルタ３７は、吸い込み口３５Ｂに設けられている。第２のフィルタ３７は、部屋７の空気が筐体３５内に導入される際に通過するフィルタである。部屋７の空気がオイルミストや異物等を含む場合、一部のオイルミスト及び一部の異物等が除去され、オイルミスト及び異物等の残部が第２のフィルタ３７の下流側に移動する。
【００２９】
室内熱交換器３８は、筐体３５内に収容されている。室内熱交換器３８は、冷凍サイクル１３を構成する冷媒循環ライン５０に設けられている。
室内熱交換器３８は、冷媒循環ライン５０により供給された冷媒と第２のフィルタ３７を通過することで一部のオイルミスト及び一部の異物が除去された空気（オイルミスト及び異物が残存する空気）とを熱交換させる。
【００３０】
送風ファン４２は、筐体３５内に収容されている。送風ファン４２は、室内熱交換器３８により生成され、かつオイルミスト及び異物が残存する冷風または温風をダクト本体５１の上端部５１Ａ内に送風する。
【００３１】
室外機１２は、部屋７の外に設けられている。室外機１２は、筐体４５と、室外熱交換器４６と、圧縮機４７と、ファン４９と、膨張弁３９と、を有する。
【００３２】
筐体４５は、Ｘ方向一方側に配置された部分が壁２の外面と対向するように配置されている。筐体４５は、Ｘ方向他方側に形成された外気取り込み口４５Ａを有する。
室外熱交換器４６は、筐体４５内に収容されている。室外熱交換器４６は、冷媒循環ライン５０に設けられている。
室外熱交換器４６は、冷媒循環ライン５０により供給された冷媒と外気取り込み口４５Ａから取り込んだ外気とを熱交換させる。
【００３３】
圧縮機４７は、筐体４５内に収容されている。圧縮機４７は、冷媒循環ライン５０に設けられている。圧縮機４７は、冷媒循環ライン５０により供給された冷媒を圧縮することで高温高圧の冷媒を生成する。
ファン４９は、外気取り込み口４５Ａと対向するように、筐体４５内に収容されている。
【００３４】
膨張弁３９は、筐体４５内に収容されている。膨張弁３９は、冷媒循環ライン５０に設けられている。膨張弁３９は、冷媒循環ライン５０により供給された冷媒を膨張させることで低温低圧の冷媒を生成する。
【００３５】
冷凍サイクル１３は、室内熱交換器３８、膨張弁３９、室外熱交換器４６、及び圧縮機４７と接続され、かつ冷媒が循環する冷媒循環ライン５０と、室内熱交換器３８と、膨張弁３９と、室外熱交換器４６と、圧縮機４７と、を有する。
【００３６】
次に、図１、及び図４〜図６を参照して、空気案内用ダクト１４について説明する。図１〜図６において、同一構成部分には同一符号を付す。
空気案内用ダクト１４は、ダクト本体５１と、蓋部５２と、を有する。ダクト本体５１は、上端部５１Ａと、下端部５１Ｂと、中間部５１Ｃと、を有する。
【００３７】
上端部５１Ａは、Ｌ字形状とされている。上端部５１Ａは、一方の端が導出口３５Ｃと接続されており、他方の端が中間部５１Ｃの上端と接続されている。上端部５１Ａのうち、中間部５１Ｃと接続された部分は、天井６に形成された開口部６Ｂに挿入されている。上端部５１Ａは、ダクト本体５１のうち、天井６の下面６ｂよりも上方に配置された部分である。
【００３８】
下端部５１Ｂは、Ｌ字形状とされている。下端部５１Ｂは、一方の端が中間部５１Ｃの下端と接続されている。下端部５１Ｂのうち、中間部５１Ｃと接続された部分は、床材４に形成された開口部４Ａに挿入されている。下端部５１Ｂは、ダクト本体５１のうち、床材４の上面４ａよりも下方に配置された部分である。
下端部５１Ｂは、第１の配管２１Ａ〜２１Ｄの一端と接続されている。下端部５１Ｂは、第１の配管２１Ａを介して、冷風または温風を供給可能な状態で放射パネル６８Ａ〜６８Ｄを有する放射パネル群１８Ａと接続されている。
【００３９】
下端部５１Ｂは、第１の配管２１Ｂを介して、冷風または温風を供給可能な状態で放射パネル６８Ｅ〜６８Ｈを有する放射パネル群１８Ｂと接続されている。
下端部５１Ｂは、第１の配管２１Ｃを介して、冷風または温風を供給可能な状態で放射パネル６８Ｉ〜６８Ｌを有する放射パネル群１８Ｃと接続されている。
下端部５１Ｂは、第１の配管２１Ｄを介して、冷風または温風を供給可能な状態で放射パネル６８Ｍ〜６８Ｐを有する放射パネル群１８Ｄと接続されている。
【００４０】
中間部Ｃは、ダクト本体５１のうち、天井６の下面６ｂから床材４の上面４ａとの間に配置された部分である。中間部５１Ｃは、部屋７内に配置されており、Ｚ方向に延びている。
中間部５１Ｃは、切欠き部５１ＣＡと、開口部５１ＣＢと、ねじ孔５１Ｃａ，５１Ｃｂと、を有する。
【００４１】
切欠き部５１ＣＡは、中間部５１Ｃの内周面側のうち、第１のフィルタ１５が収容される部分に形成されている。切欠き部５１ＣＡは、中間部５１Ｃの周方向に延びた凹部である。切欠き部５１ＣＡには、第１のフィルタ１５の外周部の一部が挿入されている。
【００４２】
開口部５１ＣＢは、中間部５１Ｃのうち、Ｘ方向において切欠き部５１ＣＡの一部と対向する部分に形成されている。開口部５１ＣＢの上端は、切欠き部５１ＣＡの上端よりも上方に配置されている。開口部５１ＣＢの下端は、切欠き部５１ＣＡの下端よりも下方に配置されている。
このように、開口部５１ＣＢの上下方向のサイズを切欠き部５１ＣＡよりも大きくすることで、第１のフィルタ１５の交換作業を容易に行うことができる。
【００４３】
ねじ孔５１Ｃａは、開口部５１ＣＢの上方に位置する中間部５１Ｃに複数（本実施形態の場合、一例として２つ）形成されている。複数のねじ孔５１Ｃａは、中間部５１Ｃの周方向に配置されている。
【００４４】
ねじ孔５１Ｃｂは、開口部５１ＣＢの下方に位置する中間部５１Ｃに複数（本実施形態の場合、一例として２つ）形成されている。複数のねじ孔５１Ｃｂは、中間部５１Ｃの周方向に配置されている。
【００４５】
蓋部５２は、蓋部本体５５と、把手部５６と、を有する。蓋部本体５５は、内側板部６１と、外側板部６２と、を有する。
内側板部６１は、開口部５１ＣＢを塞ぐように、開口部５１ＣＢに使用される板材である。内側板部６１は、第１のフィルタ１５の外周部の一部を収容する凹部を有する。
内側板部６１のうち、凹部６１Ａが形成されていない部分の厚さは、中間部５１Ｃの厚さと等しくなるように構成されている。
【００４６】
外側板部６２は、内側板部６１の外側に設けられている。外側板部６２は、内側板部６１から上下方向及び横方向にはみ出す大きさとされている。
外側板部６２は、ねじ孔６２ａ，６２ｂを有する。ねじ孔６２ａは、内側板部６１よりも上方に位置する外側板部６２に複数（本実施形態の場合、一例として２つ）形成されている。ねじ孔６２ａは、内側板部６１が開口部５１ＣＢに収容された状態で、ねじ孔５１Ｃａと対向する位置に形成されている。
ねじ孔６２ｂは、内側板部６１よりも上方に位置する外側板部６２に複数（本実施形態の場合、一例として２つ）形成されている。ねじ孔６２ｂは、内側板部６１が開口部５１ＣＢに収容された状態で、ねじ孔５１Ｃｂと対向する位置に形成されている。
【００４７】
把手部５６は、外側板部６２の外面に取り付けられている。このような把手部５６を設けることで、作業者が蓋部５２を持ちやすくなるため、蓋部５２の落下を抑制することができる。
【００４８】
上記構成とされた蓋部５２は、ねじ孔５１Ｃａ，６２ａにねじ６５を螺合させるとともに、ねじ孔５１Ｃｂ，６２ｂにねじ６６を螺合させることで、中間部５１Ｃに装着され、中間部５１Ｃに形成された開口部５１ＣＢを塞ぐ（図４に示す状態）。
そして、第１のフィルタ１５を交換する際には、中間部５１Ｃ及び蓋部５２からねじ６５，６６を外すことで、中間部５１Ｃから蓋部５２を取り外す（図５に示す状態）。
つまり、蓋部５２は、中間部５１Ｃに対して着脱可能な構成とされている。
【００４９】
このように、ダクト本体５１（本実施形態の場合、中間部５１Ｃ）に装着された状態で開口部５１ＣＢを塞ぎ、かつダクト本体５１に対して着脱可能な構成とされた蓋部５２を有することで、第１のフィルタ１５の交換を容易に行うことができる。
【００５０】
また、上記構成とされた蓋部５２を部屋７内に位置する中間部５１Ｃに取り付けることで、第１のフィルタ１５の交換を部屋７の中から容易に行うことができる。
【００５１】
次に、第１のフィルタ１５について説明する。
第１のフィルタ１５は、外周部が切欠き部５１ＣＡ及び凹部６１Ａに収容された状態（中間部５１Ｃに蓋部５２が装着された状態（図４に示す状態））で、中間部５１Ｃの内側に配置されている。
中間部５１Ｃから蓋部５２を取り外した状態（図５に示す状態）において、第１のフィルタ１５は、開口部５１ＣＢから露出されている。
【００５２】
このような構成とされた第１のフィルタ１５を、室内機１１の後段で、かつ放射パネル６８Ａ〜６８Ｐの前段に位置する中間部５１Ｃの内側に設けることで、放射パネル６８Ａ〜６８Ｐの前段において、冷風または温風に含まれる第２のフィルタ３７を通過したオイルミスト及び異物等の残部等を捕捉することができる。
【００５３】
第１のフィルタ１５の材料としては、例えば、ウールや不織布等を用いることが可能である。
第１のフィルタ１５のメッシュサイズは、例えば、第２のフィルタ３７のメッシュサイズと等しくするとよい。
【００５４】
このように、第１のフィルタ１５のメッシュサイズを第２のフィルタ３７のメッシュサイズと等しくすることで、冷風または温風の流通性能を低下させることなく、第２のフィルタ３７を通過したオイルミスト及び異物等の残部等を捕捉することができる。
【００５５】
また、第１のフィルタ１５のメッシュサイズは、例えば、吹き出し口１６Ａ〜１６Ｄに配置される第３のフィルタ１７のメッシュサイズよりも小さくするとよい。
第３のフィルタ１７は、物が落下することを抑制することを目的としたフィルタである。このため、第３のフィルタ１７のメッシュサイズは、大きくなるように構成されている。
したがって、第１のフィルタ１５のメッシュサイズを第３のフィルタ１７のメッシュサイズよりも小さくすることで、オイルミスト及び異物等を捕捉することができる。
【００５６】
吹き出し口１６Ａ〜１６Ｄは、壁３の近傍に位置する床材４に形成されている。吹き出し口１６Ａ〜１６Ｄは、平面視矩形とされた開口部である。吹き出し口１６Ａ〜１６Ｄは、Ｙ方向に対して、吹き出し口１６Ａ、吹き出し口１６Ｂ、吹き出し口１６Ｃ、吹き出し口１６Ｄの順で配置されている。
【００５７】
吹き出し口１６Ａは、第２の配管２２Ａの一端と接続されている。吹き出し口１６Ａには、第２の配管２２Ａを介して、放射パネル群１８Ａ内を通過した冷風または温風が供給される。そして、吹き出し口１６Ａから部屋７内に吹き出された冷風または温風は、部屋７の対流空調に利用される。
【００５８】
吹き出し口１６Ｂは、第２の配管２２Ｂの一端と接続されている。吹き出し口１６Ｂには、第２の配管２２Ｂを介して、放射パネル群１８Ｂ内を通過した冷風または温風が供給される。そして、吹き出し口１６Ｂから部屋７内に吹き出された冷風または温風は、部屋７の対流空調に利用される。
【００５９】
吹き出し口１６Ｃは、第２の配管２２Ｃの一端と接続されている。吹き出し口１６Ｃには、第２の配管２２Ｃを介して、放射パネル群１８Ｃ内を通過した冷風または温風が供給される。そして、吹き出し口１６Ｃから部屋７内に吹き出された冷風または温風は、部屋７の対流空調に利用される。
【００６０】
吹き出し口１６Ｄは、第２の配管２２Ｄの一端と接続されている。吹き出し口１６Ｄには、第２の配管２２Ｄを介して、放射パネル群１８Ｄ内を通過した冷風または温風が供給される。そして、吹き出し口１６Ｄから部屋７内に吹き出された冷風または温風は、部屋７の対流空調に利用される。
【００６１】
第３のフィルタ１７は、吹き出し口１６Ａ〜１６Ｄに対してそれぞれ設けられている。第３のフィルタ１７は、先に説明したように、物が落下することを抑制することを目的としたフィルタである。
【００６２】
次に、図１〜図３、及び図７を参照して、放射パネル群１８Ａ〜１８Ｄについて説明しる。図７において、図３に示す構造体と同一構成部分には、同一符号を付す。
放射パネル群１８Ａ〜１８Ｄは、放射パネル６８Ａ〜６８Ｐのうち、それぞれ４つの放射パネルを有した構成とされている。放射パネル６８Ａ〜６８Ｐは、同一構成とされた放射パネルである。
【００６３】
ここで、放射パネル群１８Ａ〜１８Ｄについて詳細に説明する前に、放射パネル６８Ａを例に挙げて、放射パネル６８Ａ〜６８Ｐの構成について説明する（図３参照）。
【００６４】
放射パネル６８Ａは、筐体７１と、流路７８を区画する流路形成用部材７３〜７５と、ダンパ７６（流路切替部）と、を有する。筐体７１は、外形が直方体形状とされており、内部に中空部を有する。
【００６５】
筐体７１は、Ｘ方向一方側に形成された空気導入口７１Ａと、Ｘ方向他方側に形成された空気導出口７１Ｂと、を有する。
空気導入口７１Ａは、筐体７１の角部近傍に配置されている。空気導入口７１Ａは、空気案内用ダクト１４を経由した冷風または温風を筐体７１内に導く。空気導入口７１Ａは、Ｙ方向に対して直交する筐体７１の端面７１ａ、及びＸ方向に対して直交する筐体７１の端面７１ｂを露出している。端面７１ａ，７１ｂは、ダンパ７６が当接される面である。
空気導出口７１Ｂは、Ｘ方向において空気導入口７１Ａと対向するように形成されている。
【００６６】
流路形成用部材７３〜７５は、筐体７１内に流路７８を区画する直方体形状とされた部材であり、筐体７１内に収容されている。流路形成用部材７３〜７５は、Ｘ方向に間隔を空けた状態で配列されている。
【００６７】
流路７８は、バイパス用流路８１と、放射空調用流路８２と、を有する。
バイパス用流路８１は、Ｘ方向に延びる流路であり、空気導入口７１Ａ及び空気導出口７１Ｂを連通させている。バイパス用流路８１は、放射空調用流路８２に冷風または温風を供給しない場合（つまり、放射空調用流路８２をバイパスさせる場合）に冷風または温風を流す流路である。また、放射空調用流路８２に冷風または温風を供給する場合において、バイパス用流路８１の一部にも冷風または温風が供給される。
【００６８】
放射空調用流路８２は、バイパス用流路８１よりも流路長が長い流路である。放射空調用流路８２は、第１の流路部８２Ａと、第２の流路部８２Ｂ〜８２Ｅと、を有する。
第１の流路部８２Ａは、Ｙ方向において、流路形成用部材７３〜７５を挟んで、バイパス用流路８１と対向している。
【００６９】
第２の流路部８２Ｂ〜８２Ｅは、Ｙ方向に延びる流路部である。第２の流路部８２Ｂは、筐体７１のＸ方向一方側と流路形成用部材７３との間に形成されている。第２の流路部８２Ｃは、流路形成用部材７３と流路形成用部材７４との間に形成されている。
第２の流路部８２Ｄは、流路形成用部材７４と流路形成用部材７５との間に形成されている。第２の流路部８２Ｅは、流路形成用部材７５と筐体７１のＸ方向他方側との間に形成されている。
Ｙ方向に位置する第２の流路部８２Ｂ〜８２Ｅの両端部のうち、一方の端部が第１の流路部８２Ａと連通しており、他方の端部がバイパス用流路８１と連通している。
【００７０】
このような構成とされた第１及び第２の流路部８２Ａ〜８２Ｅを放射空調用流路８２が有することで、放射空調用流路８２に冷風または温風を流すことにより、放射パネル６８Ａの上方に位置する床材４の一部を放射空調することができる。
【００７１】
ダンパ７６は、端面７１ａ，７１ｂに当接可能、かつＣ方向に回動可能な状態で筐体７１内に収容されている。
ダンパ７６は、制御装置２８と電気的に接続されている。制御装置２８は、端面７１ａ，７１ｂのうち、一方の端面に当接されるように各ダンパ７６を回動させる制御を行う。
ダンパ７６は、放射空調用流路８２に冷風または温風を供給するか否かを切り替える流路切替部として機能する。
【００７２】
なお、本実施形態では、流路切替部の一例として、ダンパ７６を例に挙げて説明したが、ダンパ７６以外の流路切替部を用いてもよい。
【００７３】
図７に示すように、ダンパ７６が端面７１ａと接触した状態では、筐体７１内に導入された冷風または温風は、バイパス用流路８１のみを通過するため、放射空調にほとんど寄与しない。
一方、ダンパ７６が端面７１ｂと接触した状態において、筐体７１内に導入された冷風または温風は、第２の流路部８２Ｂに流れる。このため、冷風または温風は、第２の流路部８２Ｂを経由した後に、第１の流路部８２Ａ及び第２の流路部８２Ｃ〜８２Ｅに流れるため、放射空調に寄与する。そして、放射空調に寄与した冷風または温風は、空気導出口７１Ｂから導出される。
【００７４】
次に、放射パネル群１８Ａ〜１８Ｄについて順次説明する。
放射パネル群１８Ａは、床材４の下面４ｂと接触する放射パネル６８Ａ〜６８Ｄを有する。放射パネル６８Ａ〜６８Ｄの上面は、それぞれ床材４の下面４ｂと接触している。
放射パネル６８Ａ〜６８Ｄは、放射パネル６８Ａ、放射パネル６８Ｂ、放射パネル６８Ｃ、放射パネル６８Ｄの順番で、空気案内用ダクト１４側から吹き出し口１６Ａに向かうＸ方向に互いに接触した状態で直列配置されている。
【００７５】
また、放射パネル６８Ａ〜６８Ｄは、Ｘ方向において、互いに隣り合う放射パネル６８Ａ〜６８Ｄのうち、前段（冷風または温風の流れ方向の上流側）に配置された放射パネルの空気導出口７１Ｂと後段（冷風または温風の流れ方向の下流側）に配置された放射パネルの空気導入口７１Ａとが連通するように配置されている。
【００７６】
このように、Ｘ方向において、互いに隣り合う放射パネル６８Ａ〜６８Ｄのうち、前段に配置された放射パネルの空気導出口７１Ｂと後段に配置された放射パネルの空気導入口７１Ａとを連通させることで、Ｘ方向において各放射パネル６８Ａ〜６８Ｄを構成するバイパス用流路８１を連通させることが可能となる。
【００７７】
これにより、Ｘ方向に配置された複数のバイパス用流路８１（図４の場合、一例として４つのバイパス用流路）を、各放射パネル６８Ａ〜６８Ｅの放射空調用流路８２をバイパスさせるバイパス用流路として機能させることが可能となる。
したがって、各放射パネル６８Ａ〜６８Ｄに対してそれぞれバイパス用の配管を設ける必要ないため、空気式放射空調システム１０の構成要素の数を少なくすることができる。
【００７８】
放射パネル群１８Ｂは、床材４の下面４ｂと接触する放射パネル６８Ｅ〜６８Ｈを有する。放射パネル６８Ｅ〜６８Ｈの上面は、それぞれ床材４の下面４ｂと接触している。放射パネル群１８Ｂは、放射パネル群１８ＡのＹ方向一方側に配置されている。放射パネル群１８Ｂは、Ｙ方向において放射パネル群１８Ａと接触している。
放射パネル６８Ｅ〜６８Ｈは、放射パネル６８Ｅ、放射パネル６８Ｆ、放射パネル６８Ｇ、放射パネル６８Ｈの順番で、空気案内用ダクト１４側から吹き出し口１６Ｂに向かうＸ方向に互いに接触した状態で直列配置されている。
【００７９】
また、放射パネル６８Ｅ〜６８Ｈは、Ｘ方向において、互いに隣り合う放射パネルのうち、前段に配置された放射パネルの空気導出口７１Ｂと後段に配置された放射パネルの空気導入口７１Ａとが連通するように配置されている。
【００８０】
放射パネル群１８Ｃは、床材４の下面４ｂと接触する放射パネル６８Ｉ〜６８Ｌを有する。放射パネル６８Ｉ〜６８Ｌの上面は、それぞれ床材４の下面４ｂと接触している。放射パネル群１８Ｃは、放射パネル群１８ＢのＹ方向一方側に配置されている。放射パネル群１８Ｃは、Ｙ方向において放射パネル群１８Ｂと接触している。
放射パネル６８Ｉ〜６８Ｌは、放射パネル６８Ｉ、放射パネル６８Ｊ、放射パネル６８Ｋ、放射パネル６８Ｌの順番で、空気案内用ダクト１４側から吹き出し口１６Ｃに向かうＸ方向に互いに接触した状態で直列配置されている。
【００８１】
また、放射パネル６８Ｉ〜６８Ｌは、Ｘ方向において、互いに隣り合う放射パネルのうち、前段に配置された放射パネルの空気導出口７１Ｂと後段に配置された放射パネルの空気導入口７１Ａとが連通するように配置されている。
【００８２】
放射パネル群１８Ｄは、床材４の下面４ｂと接触する放射パネル６８Ｍ〜６８Ｐを有する。放射パネル６８Ｍ〜６８Ｐの上面は、それぞれ床材４の下面４ｂと接触している。放射パネル群１８Ｄは、放射パネル群１８ＣのＹ方向一方側に配置されている。放射パネル群１８Ｄは、Ｙ方向において放射パネル群１８Ｃと接触している。
放射パネル６８Ｍ〜６８Ｐは、放射パネル６８Ｍ、放射パネル６８Ｎ、放射パネル６８Ｏ、放射パネル６８Ｐの順番で、空気案内用ダクト１４側から吹き出し口１６Ｄに向かうＸ方向に互いに接触した状態で直列配置されている。
【００８３】
また、放射パネル６８Ｍ〜６８Ｐは、Ｘ方向において、互いに隣り合う放射パネルのうち、前段に配置された放射パネルの空気導出口７１Ｂと後段に配置された放射パネルの空気導入口７１Ａとが連通するように配置されている。
【００８４】
上述したように、Ｘ方向に対して直交するＹ方向に放射パネル群１８Ａ〜１８Ｄを配置させることで、広いエリアに放射パネル６８Ａ〜６８Ｐを配置させることが可能となる。これにより、床材４の上面４ａの面積が広い場合でも床材４の一部のみを放射空調することができる。
【００８５】
また、上述したように、各放射パネル６８Ａ〜６８Ｐは、Ｘ方向及びＹ方向に曲がりくねった狭い流路７８と、Ｄ方向に回動するダンパ７６と、をそれぞれ有する。
このような構成とされた放射パネル６８Ａ〜６８Ｐの前段には、第１のフィルタ１５が設けられているため、第２のフィルタ３７を通過した空気に含まれるオイルミスト及び異物等だけでなく、室内機１１内で発生した異物等も捕捉することが可能となる。
【００８６】
これにより、第１のフィルタ１５の下流側に配置された放射パネル６８Ａ〜６８Ｐの流路７８内に、オイルミスト及び異物が流入することを抑制できる。
したがって、放射パネル６８Ａ〜６８Ｐの流路７８にオイルミスト及び異物等が付着することを抑制可能となるので、放射パネル６８Ａ〜６８Ｐの放射特性が低下することを抑制できるとともに、放射パネル６８Ａ〜６８Ｐの流路７８が目詰まりすることを抑制できる。
また、ダンパ７６にオイルミスト及び異物等が付着することを抑制可能となるので、ダンパ７６を安定して動作させることができる。
【００８７】
複数の支持部材１９は、床スラブ１の上面１ａと各放射パネル６８Ａ〜６８Ｐとの間に配置されている。支持部材１９は、放射パネル６８Ａ〜６８Ｐを支持するための部材である。
【００８８】
第１の配管２１Ａは、ダクト本体５１の下端部５１Ｂと放射パネル群１８Ａとの間に配置されている。第１の配管２１Ａの一端は、床材４の下方に配置されたダクト本体５１の下端部５１Ｂと接続されている。
第１の配管２１Ａの他端は、Ｘ方向における放射パネル群１８Ａの両端部を構成する２つの放射パネル６８Ａ，６８Ｄのうち、空気案内用ダクト１４側に配置された放射パネル６８Ａの空気導入口７１Ａと接続されている。第１の配管２１Ａは、放射パネル６８Ａの空気導入口７１Ａに冷風または温風を供給する。
【００８９】
第１の配管２１Ｂは、ダクト本体５１の下端部５１Ｂと放射パネル群１８Ｂとの間に配置されている。第１の配管２１Ｂの一端は、ダクト本体５１の下端部５１Ｂと接続されている。
第１の配管２１Ｂの他端は、Ｘ方向における放射パネル群１８Ｂの両端部を構成する２つの放射パネル６８Ｅ，６８Ｈのうち、空気案内用ダクト１４側に配置された放射パネル６８Ｅの空気導入口７１Ａと接続されている。第１の配管２１Ｂは、放射パネル６８Ｅの空気導入口７１Ａに冷風または温風を供給する。
【００９０】
第１の配管２１Ｃは、ダクト本体５１の下端部５１Ｂと放射パネル群１８Ｃとの間に配置されている。第１の配管２１Ｃの一端は、ダクト本体５１の下端部５１Ｂと接続されている。
第１の配管２１Ｃの他端は、Ｘ方向における放射パネル群１８Ｃの両端部を構成する２つの放射パネル６８Ｉ，６８Ｌのうち、空気案内用ダクト１４側に配置された放射パネル６８Ｉの空気導入口７１Ａと接続されている。第１の配管２１Ｃは、放射パネル６８Ｉの空気導入口７１Ａに冷風または温風を供給する。
【００９１】
第１の配管２１Ｄは、ダクト本体５１の下端部５１Ｂと放射パネル群１８Ｄとの間に配置されている。第１の配管２１Ｄの一端は、ダクト本体５１の下端部５１Ｂと接続されている。
第１の配管２１Ｄの他端は、Ｘ方向における放射パネル群１８Ｄの両端部を構成する２つの放射パネル６８Ｍ，６８Ｐのうち、空気案内用ダクト１４側に配置された放射パネル６８Ｍの空気導入口７１Ａと接続されている。第１の配管２１Ｄは、放射パネル６８Ｍの空気導入口７１Ａに冷風または温風を供給する。
【００９２】
第２の配管２２Ａは、吹き出し口１６Ａと放射パネル群１８Ａとの間に配置されている。第２の配管２２Ａの他端は、Ｘ方向における放射パネル群１８Ａの両端部を構成する２つの放射パネル６８Ａ，６８Ｄのうち、吹き出し口１６Ａ側に配置された放射パネル６８Ｄの空気導出口７１Ｂと接続されている。
第２の配管２２Ａは、放射パネル群１８Ａを通過した冷風または温風を吹き出し口１６Ａに導くための配管である。
【００９３】
第２の配管２２Ｂは、吹き出し口１６Ｂと放射パネル群１８Ｂとの間に配置されている。第２の配管２２Ｂの他端は、Ｘ方向における放射パネル群１８Ｂの両端部を構成する２つの放射パネル６８Ｅ，６８Ｈのうち、吹き出し口１６Ｂ側に配置された放射パネル６８Ｈの空気導出口７１Ｂと接続されている。
第２の配管２２Ｂは、放射パネル群１８Ｂを通過した冷風または温風を吹き出し口１６Ｂに導くための配管である。
【００９４】
第２の配管２２Ｃは、吹き出し口１６Ｃと放射パネル群１８Ｃとの間に配置されている。第２の配管２２Ｃの他端は、Ｘ方向における放射パネル群１８Ｃの両端部を構成する２つの放射パネル６８Ｉ，６８Ｌのうち、吹き出し口１６Ｃ側に配置された放射パネル６８Ｌの空気導出口７１Ｂと接続されている。
第２の配管２２Ｃは、放射パネル群１８Ｃを通過した冷風または温風を吹き出し口１６Ｃに導くための配管である。
【００９５】
第２の配管２２Ｄは、吹き出し口１６Ｄと放射パネル群１８Ｄとの間に配置されている。第２の配管２２Ｄの他端は、Ｘ方向における放射パネル群１８Ｄの両端部を構成する２つの放射パネル６８Ｍ，６８Ｐのうち、吹き出し口１６Ｄ側に配置された放射パネル６８Ｐの空気導出口７１Ｂと接続されている。
第２の配管２２Ｄは、放射パネル群１８Ｄを通過した冷風または温風を吹き出し口１６Ｄに導くための配管である。
【００９６】
人感センサ２６は、天井６の下面６ｂに固定されている。人感センサ２６は、制御装置２８と電気的に接続されている。人感センサ２６は、放射パネル６８Ａ〜６８Ｐ（複数の放射パネル）のうち、どの放射パネルの上方に人Ｍがいるかを検知した際の位置情報を制御装置２８に入力する。
人感センサ２６としては、例えば、画像センサ（カメラ）、超音波センサ、床センサ等を用いることが可能である。
【００９７】
次に、図１、図３、及び図８を参照して、制御装置２８について説明する。図８において、図１及び図３に示す構造体と同一構成部分には、同一符号を付す。
【００９８】
制御装置２８は、放射パネル特定部２８Ａと、ダンパ特定部２８Ｂと、ダンパ制御部２８Ｃと、を有する。
放射パネル特定部２８Ａには、人感センサ２６からの位置情報が入力される。
放射パネル特定部２８Ａは、入力された位置情報に基づいて、人Ｍの下方に位置する放射、一例として、放射パネル６８Ｋ）を特定する。放射パネル特定部２８Ａは、特定した放射パネル（図１の場合、一例として、放射パネル６８Ｋ）の情報をダンパ特定部２８Ｂに入力する。
【００９９】
ダンパ特定部２８Ｂは、放射パネル６８Ｋのダンパ７６を特定し、特定したダンパ７６に関する情報をダンパ制御部２８Ｃに入力する。
ダンパ制御部２８Ｃは、ダンパ特定部２８Ｂから入力された情報に基づいて、放射パネル６８Ａ〜６８Ｐを構成する複数のダンパ７６を制御することで、放射パネル６８Ｋの放射空調用流路８２内のみに冷風または温風を供給させるとともに、放射パネル６８Ｋ以外の放射パネル６８Ａ〜６８Ｊ，６８Ｌ〜６８Ｐの放射空調用流路８２をバイパスさせる。
【０１００】
具体的には、ダンパ制御部２８Ｃは、放射パネル６８Ｋのダンパ７６と端面７１ｂとを当接させ、かつ放射パネル６８Ａ〜６８Ｊ，６８Ｌ〜６８Ｐのダンパ７６と端面７１ａとを当接させる制御を行う。
【０１０１】
これにより、放射パネル６８Ａ〜６８Ｊ，６８Ｌ〜６８Ｐ内に供給された冷風または温風は、放射パネル６８Ａ〜６８Ｊ，６８Ｌ〜６８Ｐのバイパス用流路８１のみを流れるため、放射パネル６８Ａ〜６８Ｊ，６８Ｌ〜６８Ｐの上方に位置する床材４の放射空調にほとんど寄与しない。
一方、人Ｍの下方に位置する放射パネル６８Ｋの放射空調用流路８２内には、冷風または温風が供給されるので、人Ｍの下方に位置する床材４の一部を放射空調することができる。
【０１０２】
次に、図１〜図９を参照して、一部の床材４のみを空気式放射空調システム１０により放射空調する方法について説明する。ここでは、一例として、放射パネル６８Ａ〜６８Ｐのうち、放射パネル６８Ｋの放射空調用流路８２のみに冷風または温風を供給させる場合を例に挙げて、図９のフローチャートの処理を説明する。
【０１０３】
初めに、図９に示す処理が開始されると、Ｓ１では、人感センサ２６により人Ｍの位置を検出する。人感センサ２６は、人Ｍの位置に関する位置情報を制御装置２８の放射パネル特定部２８Ａに入力する。
次いで、Ｓ２では、入力された位置情報に基づいて、放射パネル特定部２８Ａにより、人Ｍの下方に位置する放射パネル６８Ｋを特定する。
【０１０４】
次いで、Ｓ３では、ダンパ特定部２８Ｂにより、放射パネル６８Ｋに対応するダンパ７６を特定する。
次いで、Ｓ４では、ダンパ制御部２８Ｃにより、放射パネル６８Ａ〜６８Ｐのダンパ７６を制御することで、放射パネル６８Ｋの放射空調用流路８２に冷風または温風を供給するとともに、他の放射パネル６８Ａ〜６８Ｊ，６８Ｌ〜６８Ｐの放射空調用流路８２をバイパスさせる。このとき、冷風または温風は、放射パネル６８Ａ〜６８Ｊ，６８Ｌ〜６８Ｐのバイパス用流路８１を流れる。
【０１０５】
次いで、Ｓ５では、第１及び第２のフィルタ１５，３７を通過した冷風または温風を放射パネル６８Ｋの放射空調用流路８２に供給することで、放射パネル６８Ｋの上方に位置する床材４の一部を放射空調させる。
例えば、放射パネル６８Ｋの放射空調用流路８２のみに冷風を供給した場合、冷風は、床材４の一部のみを冷却するため、床材４全体を冷却した冷風と比較して、放射パネル６８Ｋから導出されたときの温度上昇が小さい。
【０１０６】
また、例えば、放射パネル６８Ｋの放射空調用流路８２のみに温風を供給した場合、温風は、床材４の一部のみを温めるため、床材４全体を温めた温風と比較して、放射パネル６８Ｋから導出されたときの温度低下が小さい。
放射パネル６８Ｋから導出された冷風または温風は、放射パネル６８Ｌのバイパス用流路８１を流れた後、第２の配管２２Ｃを介して、吹き出し口１６Ｃに供給される。
【０１０７】
次いで、Ｓ６では、第３のフィルタ１７を通過した冷風または温風を吹き出し口１６Ｃから部屋７内に吹き出させることで、部屋７内の対流空調が行われる。
このとき、部屋７内には、床材４全体を冷却した冷風と比較して、温度上昇の小さい冷風、または床材４全体を温めた温風と比較して、温度低下の小さい温風が吹き出されるため、対流空調の効果を高めることができる。その後、図９に示す処理は終了する。
【０１０８】
本実施形態の空気式放射空調システム１０によれば、室内機１１の後段で、かつ放射パネル６８Ａ〜６８Ｐの前段に位置する中間部５１Ｃの内側に第１のフィルタ１５を備えることで、第１のフィルタ１５により冷風または温風に含まれるオイルミスト及び異物等を捕捉することが可能となる。これにより、第１のフィルタ１５の下流側に配置された放射パネル６８Ａ〜６８Ｐの流路７８内に、オイルミスト及び異物が流入することを抑制できる。
したがって、オイルミスト及び異物等の影響により放射パネル６８Ａ〜６８Ｐの放射特性が低下することを抑制できるとともに、異物により放射パネル６８Ａ〜６８Ｐの流路７８が目詰まりすることを抑制できる。
【０１０９】
なお、本実施形態では、一例として、放射パネル６８Ｋの放射空調用流路８２のみに冷風または温風を供給する場合を例に挙げて説明したが、冷風または温風を供給する放射パネルは、人Ｍがいる位置によって適宜変更が可能である。
【０１１０】
また、本実施形態では、一例として、人感センサ２６を用いた場合を例に挙げて説明したが、人感センサ２６に替えて温度センサを用いてもよい。
さらに、人感センサ２６と温度センサとを組み合わせて、空気式放射空調システム１０の制御を行ってもよい。
【０１１１】
また、上述した空気式放射空調システム１０では、一例として、人感センサ２６の入力情報に基づいて、放射パネルを特定した場合を例に挙げて説明したが、例えば、リモコンにより、冷風または温風を供給する一部の放射パネルを特定してもよい。
【０１１２】
また、本実施形態では、ダンパ７６を備えた放射パネル６８Ａ〜６８Ｐを用いて、放射パネル６８Ｋの放射空調用流路８２のみに冷風または温風を供給させた場合を例に挙げて説明したが、例えば、ダンパを備えていない複数の放射パネルを準備し、全ての放射パネルの放射空調用流路に冷風または温風を供給させてもよい。この場合も本実施形態と同様な効果を得ることができる。
さらに、本実施形態で説明した放射パネル６８Ａ〜６８Ｐは、一例であり、放射パネルの構造は、放射パネル６８Ａ〜６８Ｐに限定されない。
【０１１３】
また、本実施形態では、一例として、ダクト本体５１のうち、中間部５１Ｃの内側に第１のフィルタ１５を配置させた場合を例に挙げて説明したが、第１のフィルタ１５は、ダクト本体５１内に配置されていればよく、第１のフィルタ１５を配置させる部分は、中間部５１Ｃに限定されない。つまり、第１のフィルタ１５は、上端部５１Ａの内側に配置させてもよいし、下端部５１Ｂの内側に配置させてもよい。
【０１１４】
以上、本発明の好ましい実施形態について詳述したが、本発明はかかる特定の実施形態に限定されるものではなく、特許請求の範囲内に記載された本発明の要旨の範囲内において、種々の変形・変更が可能である。
【符号の説明】
【０１１５】
１…床スラブ
１ａ，４ａ，６ａ…上面
２，３…壁
４…床材
４Ａ，６Ａ，６Ｂ，５１ＣＢ…開口部
４ｂ，６ｂ…下面
６…天井
７…部屋
１０…空気式放射空調システム
１１…室内機
１２…室外機
１３…冷凍サイクル
１４…空気案内用ダクト
１５…第１のフィルタ
１６Ａ〜１６Ｄ…吹き出し口
１７…第３のフィルタ
１８Ａ〜１８Ｄ…放射パネル群
１９…支持部材
２１Ａ〜２１Ｄ…第１の配管
２２Ａ〜２２Ｄ…第２の配管
２６…人感センサ
２８…制御装置
２８Ａ…放射パネル特定部
２８Ｂ…ダンパ特定部
２８Ｃ…ダンパ制御部
３５，４５，７１…筐体
３５Ａ…突出部
３５Ｂ…吸い込み口
３５Ｃ…導出口
３７…第２のフィルタ
３８…室内熱交換器
３９…膨張弁
４２…送風ファン
４５Ａ…外気取り込み口
４６…室外熱交換器
４７…圧縮機
４９…ファン
５０…冷媒循環ライン
５１…ダクト本体
５１Ａ…上端部
５１Ｂ…下端部
５１Ｃ…中間部
５１ＣＡ…切欠き部
５１Ｃａ，５１Ｃｂ，６２ａ，６２ｂ…ねじ孔
５２…蓋部
５５…蓋部本体
５６…把手部
６１…内側板部
６１Ａ…凹部
６２…外側板部
６５，６６…ねじ
６８Ａ〜６８Ｐ…放射パネル
７１Ａ…空気導入口
７１Ｂ…空気導出口
７３〜７５…流路形成用部材
７１ａ，７１ｂ…端面
７６…ダンパ
７８…流路
８１…バイパス用流路
８２…放射空調用流路
８２Ａ…第１の流路部
８２Ｂ〜８２Ｅ…第２の流路部
Ｂ…領域
Ｄ…方向
Ｍ…人
【図１】
2020012575.tif 000003
【図２】
2020012575.tif 000004
【図３】
2020012575.tif 000005
【図４】
2020012575.tif 000006
【図５】
2020012575.tif 000007
【図６】
2020012575.tif 000008
【図７】
2020012575.tif 000009
【図８】
2020012575.tif 000010
【図９】
2020012575.tif 000011